(57)【要約】【課題】いわゆる釘曲げゴト行為を容易且つ確実に発見できる弾球遊技機を提供する。【解決手段】前側の遊技領域８ａ内に入賞手段及び遊技釘が配置された遊技盤８と、遊技機本体に設けられ且つ遊技盤８を着脱自在に保持する遊技盤装着手段２２とを備えた弾球遊技機で、遊技盤８側から遊技盤装着手段２２側に加わる力の大小に応じて変動する圧力値を測定する測定手段４１を例えば遊技盤装着手段２２と遊技盤８との間に配置し、この測定手段４１により測定された圧力値が所定の許容範囲を超えた場合に異常と判定するように構成したものである。【選択図】図４
2008245749.tif 000002
【特許請求の範囲】
【請求項１】
前側の遊技領域（８ａ）内に入賞手段（２６）〜（２８）及び遊技釘（２９）が配置された遊技盤（８）と、遊技機本体（１）に設けられ且つ前記遊技盤（８）を着脱自在に保持する遊技盤装着手段（２２）とを備えた弾球遊技機において、前記遊技盤（８）側から前記遊技盤装着手段（２２）側に加わる力の大小に応じて変動する所定種類の値を測定する測定手段（４１）と、該測定手段（４１）により測定された値が所定の許容範囲を超えた場合に異常と判定する異常判定手段（７３）とを備えたことを特徴とする弾球遊技機。
【請求項２】
電源投入後の所定のタイミングで前記測定手段（４１）により測定された値を基準値に設定する基準値設定手段（７１）を備え、前記異常判定手段（７３）は、前記測定手段（４１）により測定された値が前記基準値に対して前記許容範囲を超えた場合に異常と判定するように構成されていることを特徴とする請求項１に記載の弾球遊技機。
【請求項３】
前記遊技機本体（１）の前側に開閉可能に設けられた開閉扉（３）（１０）と、該開閉扉（３）（１０）の開閉状態を検出する扉開閉検出手段（４８）と、前記開閉扉（３）（１０）が開状態から閉状態に変化したことが前記扉開閉検出手段（４８）により検出されたときに、その時点で前記測定手段（４１）により測定された値を基準値に設定する基準値設定手段（７１）とを備え、前記異常判定手段（７３）は、前記測定手段（４１）により測定された値が前記基準値に対して前記許容範囲を超えた場合に異常と判定するように構成されていることを特徴とする請求項１又は２に記載の弾球遊技機。
【請求項４】
前記遊技機本体（１）は、矩形状の外枠（２）と、該外枠（２）に対して開閉自在に枢支され且つ前記遊技盤（８）が装着された前枠（３）と、該前枠（３）に開閉自在に枢支された前扉（１０）とを備え、前記扉開閉検出手段（４８）は、前記前枠（３）と前記前扉（１０）との少なくとも一方が開放したときに扉開状態を検出し、前記前枠（３）と前記前扉（１０）との両方が閉じたときに扉閉状態を検出するように構成されていることを特徴とする請求項３に記載の弾球遊技機。
【請求項５】
前記遊技盤装着手段（２２）は、前記遊技盤（８）をその盤面に沿った方向に保持する外周支持部（３１ａ）〜（３４ａ）を備え、前記測定手段（４１）を前記外周支持部（３１ａ）〜（３４ａ）と前記遊技盤（８）の外周面との間に配置し且つ前記遊技盤装着手段（２２）側又は前記遊技盤（８）側に装着したことを特徴とする請求項１〜４の何れかに記載の弾球遊技機。
【請求項６】
前記測定手段（４１）を、前記遊技盤（８）の上下方向と左右方向とに対応して少なくとも１個ずつ配置したことを特徴とする請求項５に記載の弾球遊技機。
【請求項７】
前記遊技盤装着手段（２２）は、前記遊技盤（８）を前後方向に保持する前後支持部（３１ｂ）〜（３４ｂ）（３３ｃ）（３５ａ）（３５ｂ）を備え、前記測定手段（４１）を前記前後支持部（３１ｂ）〜（３４ｂ）（３３ｃ）（３５ａ）（３５ｂ）と前記遊技盤（８）との間に配置し且つ前記遊技盤装着手段（２２）側又は前記遊技盤（８）側に装着したことを特徴とする請求項４又は５に記載の弾球遊技機。
【請求項８】
前記測定手段（４１）として圧力センサを用いたことを特徴とする請求項１〜７の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機では、発射手段から発射された遊技球がガイドレールを経て遊技領域へと案内され、その遊技球が、遊技領域内に複数配置されている入賞口の何れかに入賞したときに、その入賞口に応じて所定数の遊技球を賞球として払い出すように構成されている。
【０００３】
この種のパチンコ機では、外枠の前側に開閉可能に枢支された前枠に遊技盤が装着され、またその前枠の前側に、遊技盤の遊技領域に対応するガラス窓を備えたガラス扉、遊技球の貯留皿を備えた前面開閉板等が開閉自在に枢着されている。
【０００４】
ところで、この種のパチンコ機に対するゴト行為として、例えばガラス扉と前枠との隙間などからピアノ線等を挿入し、遊技球が入賞しやすいように遊技釘を曲げるなどして不正に球を搾取するといった行為が問題となっている。
【０００５】
このようなゴト行為に対しては、ガラス扉と前枠との隙間を塞いでピアノ線等の進入経路を絶つ等のハード面での対策（特許文献１参照）が進められてきた他、遊技ホール側はベース値をこまめにチェックしたり、店員の見回りを強化する等の方法で対処してきた。
【特許文献１】特開２００４−２７５２５７号公報
【発明の開示】
【発明が解決しようとする課題】
【０００６】
しかしながら、このような従来のゴト対策では、遊技ホール側の負担が大きいわりにその効果は必ずしも十分ではなく、例えば店員の目を盗んでドリルでガラス扉等に穴を空けて遊技釘を曲げる等の大胆な不正行為が行われたとの報告もある。
【０００７】
本発明は、このような従来の問題点に鑑み、いわゆる釘曲げゴト行為を容易且つ確実に発見できる弾球遊技機を提供することを目的とする。
【課題を解決するための手段】
【０００８】
本発明は、前側の遊技領域８ａ内に入賞手段２６〜２８及び遊技釘２９が配置された遊技盤８と、遊技機本体１に設けられ且つ前記遊技盤８を着脱自在に保持する遊技盤装着手段２２とを備えた弾球遊技機において、前記遊技盤８側から前記遊技盤装着手段２２側に加わる力の大小に応じて変動する所定種類の値を測定する測定手段４１と、該測定手段４１により測定された値が所定の許容範囲を超えた場合に異常と判定する異常判定手段７３とを備えたものである。
【発明の効果】
【０００９】
本発明によれば、遊技機本体１の隙間からピアノ線等を挿入して遊技釘２９が不正に曲げられたような場合には測定手段４１の測定値が許容範囲を超えて異常と判定されるため、釘曲げゴト行為を容易且つ確実に発見できる。
【発明を実施するための最良の形態】
【００１０】
以下、本発明の実施形態を図面に基づいて詳述する。図１〜図１０は本発明をパチンコ機に採用した第１の実施形態を例示している。図１及び図２において、１は遊技機本体で、矩形状の外枠２と、この外枠２の前側に開閉自在に枢着された前枠３とを備えている。
【００１１】
前枠３は、図２及び図３に示すように、左右一対の縦枠部４ａ，４ｂと、上下一対の横枠部５ａ，５ｂとを備えた正面視略矩形状で、左右一端側、例えば左縦枠部４ａ側に設けられた上下方向のヒンジ６により外枠２に枢支されており、下横枠部５ｂの上側に沿って横長状に形成された下部装着部３ａに発射手段７等が、その下部装着部３ａの上側の上部装着部３ｂに遊技盤８等が夫々配置されている。
【００１２】
また、前枠３の前側には、下部装着部３ａに対応する前面開閉板９と、上部装着部３ｂに対応するガラス扉（前扉）１０とがヒンジ６と同じ側のヒンジ１１により開閉自在に枢支されている。前面開閉板９には、その前側に、発射手段７に供給するための遊技球を貯留する供給皿１２、発射手段７を作動させるための発射ハンドル１３等が設けられている。またガラス扉１０には、遊技盤８側の遊技領域８ａに対応するガラス窓１４が設けられており、遊技者は遊技機本体１の前側からこのガラス窓１４を介して遊技盤８の遊技領域８ａを視認可能となっている。
【００１３】
下部装着部３ａには、図２に示すようにその前側の例えば左右方向略中央に発射手段７が配置され、前面開閉板９側の供給皿１２からこの発射手段７に発射用の遊技球が供給されるようになっている。また、発射手段７の左側には、図外の払い出し手段から払い出された遊技球を前面開閉板９側の供給皿１２に排出するための払い出し口１５等が、右側には下部スピーカ１６等が夫々配置されている。
【００１４】
前枠３の上部装着部３ｂには、図３に示すように略中央に開口部２１が設けられ、その開口部２１を取り囲むように遊技盤装着手段２２が設けられており、この遊技盤装着手段２２に対して遊技盤８が前側から着脱自在に装着され、その遊技盤８の後部側が開口部２１から後側に露出するようになっている。
【００１５】
遊技盤８は、ベニヤ板等により略矩形状に形成されており、その前面側には、図２に示すように発射手段７により発射された遊技球を案内するガイドレール２３が環状に配置されると共に、その内側の遊技領域８ａに、図柄表示手段２４ａを備えたセンターケース２４、通過ゲート２５、開閉式入賞手段２６，２７、非開閉式入賞手段２８等の各種遊技部品の他、多数の遊技釘２９が配置され、また裏面側には制御基板が格納された基板ケース等が装着されている。
【００１６】
遊技盤装着手段２２は、上横枠部５ａに沿って設けられる上支持枠３１、下部装着部３ａの上部側に沿って設けられる下支持枠３２、左縦枠部４ａに沿って設けられる左支持枠３３、右縦枠部４ｂに沿って設けられる右支持枠３４の他、遊技盤８を解除可能に固定する複数、例えば２つのロック手段３５ａ，３５ｂ等を備えている。
【００１７】
上下左右の支持枠３１〜３４は、夫々遊技盤８をその上下左右の縁部において支持するもので、遊技盤８の外周面に沿って設けられる外周支持部３１ａ〜３４ａと、遊技盤８の背面側に沿って設けられる背面支持部（前後支持部）３１ｂ〜３４ｂとを夫々備えている。
【００１８】
また、支持枠３１〜３４のうちの一つ、例えば左支持枠３３は、外周支持部３３ａ、背面支持部３３ｂの他、例えば外周支持部３３ａ側から遊技盤８の前面側に沿って突設される前面支持部（前後支持部）３３ｃと、遊技盤８の端部（左端部）を前側の前面支持部３３ｃ側に付勢する板ばね等よりなる付勢手段３３ｄとを備えており、遊技盤８の左縁部をその外周面側及び前後両面側の三方から挟み込むと共に付勢手段３３ｄにより前側、即ち前面支持部３３ｃ側に押圧して支持するようになっている。
【００１９】
ロック手段（前後支持部）３５ａ，３５ｂは、遊技盤８を前面支持部３３ｃとは反対の端部側で前面側から支持するもので、図２に示すように、例えば上支持枠３１側の右端部近傍に上ロック手段３５ａが、下支持枠３２側の右端部近傍に下ロック手段３５ｂが夫々設けられている。また、遊技盤８には、これらロック手段３５ａ，３５ｂに対応して例えば外縁側に内向き凹入状の切欠部３６ａ，３６ｂが形成されている。
【００２０】
ロック手段３５ａ，３５ｂは、図４〜図６に示すように、前後方向の軸部３７と、この軸部３７の前端側に半径方向の例えば二方向に突出するように設けられる固定摘まみ部３８と、軸部３７の軸方向中間部分に半径方向外側に向けて突設される突起部３９とを例えば一体に備え、上支持枠３１，下支持枠３２の背面支持部３１ｂ，３２ｂの前側に回転自在に突設されている。
【００２１】
また、ロック手段３５ａ，３５ｂは、固定摘まみ部３８が切欠部３６ａ，３６ｂに干渉しないで前後に通過可能な向き、例えば縦向きとなる解除位置（図６に二点鎖線で示す）と、固定摘まみ部３８が切欠部３６ａ，３６ｂを通過不可能な向き、例えば横向きとなるロック位置（図６に実線で示す）との間で軸廻りに回転可能となっており、ロック位置では固定摘まみ部３８が切欠部３６ａ，３６ｂの周辺部で遊技盤８の前面側に係合するようになっている。
【００２２】
なお、例えば遊技盤８の前面側で且つ切欠部３６ａ，３６ｂの近傍には、固定摘まみ部３８のロック方向への回転軌跡に対応して前側への突出量が徐々に増加する傾斜部４０が設けられており、固定摘まみ部３８を解除位置からロック位置まで回転させる際、固定摘まみ部３８が傾斜部４０に徐々に乗り上げて遊技盤８を後ろ向きに押圧するようになっている。
【００２３】
更に、ロック手段３５ａ，３５ｂの突起部３９は、固定摘まみ部３８が解除位置にあるときには切欠部３６ａ，３６ｂに干渉せず、固定摘まみ部３８が解除位置からロック位置まで回転される際に切欠部３６ａ，３６ｂの内面側を遊技盤８の盤面に沿って所定の基準位置に向けて押圧するようになっている。本実施形態では、遊技盤装着手段２２の左下部を基準位置として遊技盤８を固定するようになっており、上ロック手段３５ａ側の突起部３９はその基準位置に向けて斜め下向きに（図６（ａ））、下ロック手段３５ｂの突起部３９はその基準位置に向けて左向きに（図６（ｂ））、夫々切欠部３６ａ，３６ｂの内面側を押圧するように構成されている。
【００２４】
また、遊技盤装着手段２２上又はその近傍には、遊技盤８側から遊技盤装着手段２２側に加わる圧力を測定する圧力センサ（測定手段）４１が設けられている。圧力センサ４１は、遊技盤８の盤面に沿った２方向、即ち上下方向及び左右方向の圧力を測定すべく、図３〜図５に示すように、例えば左支持枠３３の外周支持部３３ａ上と下支持枠３２の外周支持部３２ａ上の各２箇所に配置されている。
【００２５】
外枠２、前枠３、ガラス扉１０は、ヒンジ６，１１を支点として前後方向（遠近方向）に相対移動自在であり、これらの上部側には、前枠３とガラス扉１０との少なくとも一方が開状態にあるか、両方が閉状態にあるかを１個の検出スイッチ４７により検出可能な扉開閉検出手段４８が設けられている。
【００２６】
この扉開閉検出手段４８は、図７及び図８に示すように、前枠３の上横枠部５ａに左右一対の案内手段５１を介して前側の付勢位置Ａ（図８（ｂ））と後側の押圧位置Ｂ（図８（ａ），図８（ｃ））との間で前後方向移動自在に設けられた支持台５２と、この支持台５２に着脱自在に固定された検出スイッチ４７と、各案内手段５１側に設けられ且つ支持台５２を付勢位置Ａ側に向けて付勢する圧縮バネ等よりなる付勢手段５３と、ガラス扉１０に設けられ且つガラス扉１０を前枠３側に閉じたときに支持台５２を付勢手段５３に抗して押圧位置Ｂ側へと押圧する例えば突起状の押圧部５４とを備えている。
【００２７】
支持台５２は、例えば箱形のスイッチケース５５と、このスイッチケース５５の左右両側に突設され且つ前後方向のガイド孔５６が形成された一対のガイド部５７とを備え、スイッチケース５５の後側に検出スイッチ４７が固定されている。
【００２８】
案内手段５１は、前枠３の上横枠部５ａに例えば前向き突出状に設けられ、付勢手段５３が装着されており、更にその付勢手段５３の前側に支持台５２側のガイド孔５６が前後方向摺動自在に嵌合している。
【００２９】
検出スイッチ４７は、外枠２を感知するための接触式の感知子５８を、スイッチケース５５から後ろ向きに突出させた状態で備えており、この感知子５８は前枠３を開いた状態では外枠２を感知せず（図８（ｃ））、前枠３を閉じた場合でも、支持台５２が付勢位置Ａにあるとき、即ちガラス扉１０が開いた状態では外枠２を感知せず（図８（ｂ））、支持台５２が押圧位置Ｂにあるとき、即ちガラス扉１０が閉じて押圧部５４が付勢手段５３に抗して支持台５２を後ろ向きに押圧した状態で外枠２を感知する（図８（ａ））ように構成されている。
【００３０】
なお、検出スイッチ４７は、例えば感知子５８が外枠２を感知しないとき、即ちガラス扉１０と前枠３との少なくとも一方が開状態にある「扉開状態」のときにＯＮ信号を出力し、感知子５８が外枠２を感知しているとき、即ちガラス扉１０と前枠３とが共に閉状態にある「扉閉状態」のときにＯＦＦとなるように構成されている。
【００３１】
続いて、本パチンコ機の制御系のうち、釘曲げゴト等による異常を監視するための構成について説明する。
【００３２】
本実施形態の主制御基板６１には、図９に示すように、各入賞口への遊技球の入賞に関する処理を行う入賞処理手段６２、図柄表示手段２４ａによる図柄変動に関する処理を行う図柄処理手段６３、開閉式入賞手段２６，２７の開閉動作等に関する処理を行う役物処理手段６４等の他、不正による異常を監視する不正監視手段６５が設けられている。
【００３３】
不正監視手段６５は、釘曲げゴト等の不正行為を監視するためのもので、基準値設定手段７１、基準値記憶手段７２、異常判定手段７３、異常報知制御手段７４等を備え、例えば定期割込毎に図１０に示すような不正監視処理を実行するように構成されている。
【００３４】
基準値設定手段７１は、圧力センサ４１による測定の基準値を設定するもので、例えば電源投入直後の所定のタイミングで、圧力センサ４１により測定された圧力値を基準値記憶手段７２上に基準値として設定し、また不正監視処理においては、扉開閉検出手段４８により「扉開状態」から「扉閉状態」への移行が検出されたことを条件に、圧力センサ４１により測定された圧力値により基準値記憶手段７２上の基準値を更新するように構成されている。
【００３５】
異常判定手段７３は、遊技釘に関する異常を判定するためのもので、不正監視処理において、「扉閉状態」中であることを条件に、基準値記憶手段７２に記憶されている基準値と、圧力センサ４１により測定された圧力値とを比較して、それらの差が所定の許容範囲を超えている場合に異常と判定するように構成されている。
【００３６】
異常報知制御手段７４は、所定の異常報知手段により異常を報知するためのもので、異常判定手段７３により異常と判定されることを条件に作動するように構成されている。異常報知手段としては、ランプ７５、音声出力手段７６等の他、外部出力端子７７を介して接続されるホールコンピュータ等、どのようなものでもよい。
【００３７】
続いて、不正監視手段６５によって定期割込毎に実行される不正監視処理（図１０）について更に具体的に説明する。図１０に示す不正監視処理においては、まず扉開閉検出手段４８からの検出信号に基づいて、前回処理時と今回処理時における開閉扉（ガラス扉１０及び前枠３）の状態変化を判定する（Ｓ１）。そして、その状態変化に基づいて夫々次のような処理を行う。
【００３８】
即ち、「扉閉状態」から「扉開状態」に変化した場合には、例えば演出制御基板等にドア開放コマンドが出力され（Ｓ２）、「扉開状態」のまま維持されている場合には、例えば外部出力端子７７にドア開放中信号が出力される（Ｓ３）。
【００３９】
また、「扉開状態」から「扉閉状態」に変化した場合には、基準値設定手段７１により圧力センサ４１から圧力値が取得され（Ｓ４）、その取得された圧力値により基準値記憶手段７２上の基準値が更新される（Ｓ５）。従って、例えばガラス扉１０を開いて遊技盤８に対して力が加わるような作業がなされたような場合、その後にガラス扉１０が閉じられた段階で、その作業後の圧力値により基準値が更新される。
【００４０】
また、前回処理時から「扉閉状態」が維持されている場合には、異常判定手段７３により圧力センサ４１から圧力値が取得され（Ｓ６）、その取得された圧力値が基準値記憶手段７２上の基準値と比較される（Ｓ７）。そして、それらの差が所定の許容範囲内でない場合に異常であると判定され（Ｓ８：Ｙｅｓ）、異常報知制御手段７４の制御により異常報知処理が行われる（Ｓ９）。
【００４１】
従って、ガラス扉１０や前枠３を開放することなく、ガラス扉１０と前枠３との隙間などからピアノ線等を挿入して遊技釘２９が曲げられた場合、その釘曲げに伴って遊技盤８にはその盤面に沿った外力が加わり、圧力センサ４１により測定される圧力値が基準値記憶手段７２上の基準値から大きく変化するため、異常と判定される。
【００４２】
なお、遊技盤８は遊技領域８ａを落下する遊技球からも外力を受けるため、圧力センサ４１により測定された圧力値と基準値との差の許容範囲は、その遊技球から受ける外力等を考慮して適当な範囲に設定すればよい。
【００４３】
以上説明したように、本発明のパチンコ機では、遊技盤８側から遊技盤装着手段２２側に加わる力の大小に応じて変動する圧力値を測定する圧力センサ４１と、この圧力センサ４１により測定された圧力値が所定の許容範囲を超えた場合に異常と判定する異常判定手段７３とを備えているため、遊技機本体１の隙間からピアノ線等を挿入して遊技釘２９が不正に曲げられたような場合には圧力センサ４１の値が許容範囲を超えて異常と判定され、釘曲げゴト行為を容易且つ確実に発見できる。
【００４４】
また、電源投入後の所定のタイミングで圧力センサ４１により測定された値を基準値に設定する基準値設定手段７１を備え、異常判定手段７３は、圧力センサ４１により測定された値が基準値に対して許容範囲を超えた場合に異常と判定するように構成されているため、電源投入後の最新の測定値を基準値に設定して誤検出を防止できる。
【００４５】
遊技機本体１の前側に開閉可能に設けられた開閉扉（前枠３及びガラス扉１０）と、これら開閉扉３，１０の開閉状態を検出する扉開閉検出手段４８と、開閉扉３，１０が開状態から閉状態に変化したことが扉開閉検出手段４８により検出されたときに、その時点で圧力センサ４１により測定された値を基準値に設定する基準値設定手段７１とを備え、異常判定手段７３は、圧力センサ４１により測定された値が基準値に対して許容範囲を超えた場合に異常と判定するように構成されているため、例えばガラス扉１０を開いて遊技盤８に対して力が加わるような作業がなされたような場合には、その作業後の測定値を新たな基準値として異常判定が行われることとなり、誤判定を防止できる。
【００４６】
遊技機本体１は、矩形状の外枠２と、この外枠２に対して開閉自在に枢支され且つ遊技盤８が装着された前枠３と、前枠３に開閉自在に枢支されたガラス扉１０とを備え、扉開閉検出手段４８は、前枠３とガラス扉１０との少なくとも一方が開放したときに扉開状態を検出し、前枠３とガラス扉１０との両方が閉じたときに扉閉状態を検出するように構成されているため、１つの検出手段により２つの扉の開閉状態を検出できる。
【００４７】
遊技盤装着手段２２は、遊技盤８をその盤面に沿った方向に保持する外周支持部３１ａ〜３４ａを備え、圧力センサ４１を外周支持部３１ａ〜３４ａと遊技盤８の外周面との間に配置し且つ遊技盤装着手段２２側に装着しているため、釘曲げ等により遊技盤８に作用する外力を正確に測定できると共に、遊技盤８の交換等の作業は従来通り支障なく行うことができる。
【００４８】
遊技盤装着手段２２は、遊技盤８をその盤面に沿って所定の基準位置側、例えば左下部側に押圧した状態で固定するように構成され、その押圧方向に対応する外周支持部上、例えば左側の外周支持部３３ａ及び下側の外周支持部３２ａ上に少なくとも１個ずつ圧力センサ４１が配置されているため、少ないセンサ数で盤面に沿った全方向の測定を行うことができる。
【００４９】
図１１は本発明の第２の実施形態を例示し、遊技盤８に作用する盤面に沿った方向の外力だけでなく、前後方向の外力も測定するように構成した例を示している。
【００５０】
図１１に示すように、本実施形態では、遊技盤８をその前面側から支持する前面支持部（前後支持部）３３ｃ上と、遊技盤８をその裏面側から支持する背面支持部３１ｂ〜３４ｂのうちの例えば背面支持部３４ｂ上に圧力センサ４１が配置されている。
【００５１】
これにより、遊技盤８の盤面に沿った方向の外力だけでなく、前後方向の外力についても測定可能となるため、釘曲げ等による異常をより正確に検出することが可能となる。
【００５２】
以上、本発明の実施形態について詳述したが、本発明はこれらの実施形態に限定されるものではなく、本発明の趣旨を逸脱しない範囲で種々の変更が可能である。例えば、測定手段４１は遊技盤８側から遊技盤装着手段２２側に加わる力の大小に応じて変動する値を測定できるものであればよく、荷重センサ、歪みセンサ等を用いてもよい。
【００５３】
実施形態のように、遊技盤８をその盤面に沿って所定の基準位置側に押圧した状態で固定するように構成する場合には、測定手段４１をその押圧手段側に設けてもよい。例えば実施形態の場合には、ロック手段３５ａ，３５ｂ（押圧手段）の軸部３７に作用する荷重等を測定可能な測定手段４１を設けてもよい。
【００５４】
遊技盤８に対してその盤面に沿った方向に作用する外力を測定するための測定手段４１は、互いに直交する二方向、例えば上下方向と左右方向の外力を同時に測定しなければその盤面に沿った全方向の外力を測定することはできないが、例えば不正な釘曲げが予想される主な方向が左右方向等の特定の方向である場合には、その方向の外力のみを測定するように構成してもよい。
【００５５】
遊技盤８に作用する所定方向の外力を測定する測定手段４１は、実施形態では遊技盤８に対して左右方向等の片側にのみ設け、その測定値と基準値との値の大小によって例えば左右両方向の外力を測定できるように構成したが、遊技盤８に対してその所定方向の両側、例えば左右両側、上下両側等に配置し、それら両側の測定手段４１により夫々左向き、右向き等の各方向の外力を測定するように構成してもよい。
【００５６】
測定手段４１を遊技盤装着手段２２と遊技盤８との間に配置する場合、測定手段４１は実施形態のように遊技盤装着手段２２側に設けてもよいし、遊技盤８側に設けてもよい。
【００５７】
基準値設定手段７１への基準値の設定又は更新のタイミングは任意であり、例えば電源投入直後にのみ行い、扉開閉後には行わないようにしてもよい。
【００５８】
基準値設定手段７１による基準値の設定又は更新に代えて、測定手段４１の値をゼロ調整する、即ちその時点の測定値を０とするように構成してもよい。この場合、異常判定手段７３は、測定手段４１による測定値と基準値との差を求める必要はなく、測定手段４１による測定値が所定の許容範囲内にあるか否かを判定すればよい。
【００５９】
遊技盤装着手段２２に対する遊技盤８の着脱を前枠３の後側から行うように構成してもよい。
【００６０】
また本発明は、パチンコ機に限らず、アレンジボール機、雀球遊技機等の各種の弾球遊技機においても同様に実施することが可能である。
【図面の簡単な説明】
【００６１】
【図１】本発明の第１の実施形態を示すパチンコ機の全体斜視図である。
【図２】本発明の第１の実施形態を示すパチンコ機のガラス扉及び前面開閉板を取り外した状態での正面図である。
【図３】本発明の第１の実施形態を示すパチンコ機の前枠単体の斜視図である。
【図４】本発明の第１の実施形態を示すパチンコ機の遊技盤装着手段及びその近傍の平面断面図である。
【図５】本発明の第１の実施形態を示すパチンコ機の遊技盤装着手段及びその近傍の側面断面図である。
【図６】本発明の第１の実施形態を示すパチンコ機のロック手段近傍の正面図である。
【図７】本発明の第１の実施形態を示すパチンコ機の扉開閉検出手段近傍の側面断面図である。
【図８】本発明の第１の実施形態を示すパチンコ機の扉開閉検出手段近傍の平面断面図である。
【図９】本発明の第１の実施形態を示すパチンコ機の制御系のブロック図である。
【図１０】本発明の第１の実施形態を示す不正監視処理のフローチャートである。
【図１１】本発明の第２の実施形態を示すパチンコ機の遊技盤装着手段及びその近傍の平面断面図である。
【符号の説明】
【００６２】
１    遊技機本体
２    外枠
３    前枠（開閉扉）
８    遊技盤
８ａ  遊技領域
１０    ガラス扉（開閉扉，前扉）
２２    遊技盤装着手段
２６    開閉式入賞手段（入賞手段）
２７    開閉式入賞手段（入賞手段）
２８    非開閉式入賞手段（入賞手段）
２９    遊技釘
３１ａ〜３４ａ  外周支持部
３１ｂ〜３４ｂ  背面支持部（前後支持部）
３３ｃ  前面支持部（前後支持部）
３５ａ  上ロック手段（前後支持部）
３５ｂ  下ロック手段（前後支持部）
４１    圧力センサ（測定手段）
４８    扉開閉検出手段
７１    基準値設定手段
７３    異常判定手段
【図１】
2008245749.tif 000003
【図２】
2008245749.tif 000004
【図３】
2008245749.tif 000005
【図４】
2008245749.tif 000006
【図５】
2008245749.tif 000007
【図６】
2008245749.tif 000008
【図７】
2008245749.tif 000009
【図８】
2008245749.tif 000010
【図９】
2008245749.tif 000011
【図１０】
2008245749.tif 000012
【図１１】
2008245749.tif 000013